(57)【要約】      （修正有）【課題】既設の和風便器を利用して洋風便器を設置した改修便器構造における洋風便器からの排水流路において、排水の満水化を抑制し、洋風便器の封水切れを抑制する排水接続管を提供する。【解決手段】既設の和風便器を利用して設置された洋風便器の排水口を、和風便器の排水口に接続させる排水接続管５であって、上側を洋風便器の排水口に接続させる上流側縦管部３１と、上流側縦管部３１の下流側に設けられ、上流側縦管部３１とともに直角状の上流側屈曲部３８をなす横管部３２と、を備え、上流側屈曲部３８の屈曲外側には、上流側屈曲部３８の流路を狭めるように突出し、横管部３２側を向く段差面６１を有する段部６０が設けられている。【選択図】図４
2020148022.tif 000002
【特許請求の範囲】
【請求項１】
既設の和風便器を利用して設置された洋風便器の排水口を、和風便器の排水口に接続させる排水接続管であって、
上側を前記洋風便器の排水口に接続させる上流側縦管部と、
前記上流側縦管部の下流側に設けられ、前記上流側縦管部とともに直角状の屈曲部をなす横管部と、を備え、
前記屈曲部の屈曲外側には、前記屈曲部の流路を狭めるように突出し、前記横管部側を向く段差面を有する段部が設けられている
ことを特徴とする排水接続管。
【請求項２】
前記段差面は、前記横管部の管軸方向に対して垂直状の面である
ことを特徴とする請求項１に記載の排水接続管。
【請求項３】
前記段部における前記段差面よりも上側には、前記上流側縦管部から前記横管部への水の流れに沿うように湾曲または傾斜したガイド面が形成されている
ことを特徴とする請求項１または請求項２に記載の排水接続管。
【請求項４】
前記段部は、前記横管部の管軸方向について、前記上流側縦管部の中心軸の位置よりも、前記上流側縦管部からの前記横管部の延設方向側と反対側に設けられている
ことを特徴とする請求項１〜３のいずれか１項に記載の排水接続管。
【請求項５】
前記段部は、前記段差面を、前記上流側縦管部の管軸方向について、前記横管部の中心軸の位置よりも下側に位置させるように設けられている
ことを特徴とする請求項１〜４のいずれか１項に記載の排水接続管。
【発明の詳細な説明】
【技術分野】
【０００１】
本発明は、既設の和風便器を利用して洋風便器を設置した改修便器構造にて洋風便器の排水口を和風便器の排水口に接続させる排水接続管に関する。
【背景技術】
【０００２】
従来、床に設置された既設の和風便器（和式便器）を利用して洋風便器（洋式便器）を設置する便器の改修が行われている。このような便器の改修の方法としては、既存の和風便器の大部分を残したまま、残存する和風便器に対して、その排水口に一端側が接続されるように排水接続管を設けた後、洋風便器を、その排水口に排水接続管の他端側が接続されるように、和風便器の上側に設置する方法がある。このような改修方法によれば、例えば既設の和風便器を全て除去する方法と比べて、短い工期で、しかも、複数階の建物の場合において設置階からの作業のみにより階下に影響を与えることなく改修を行うことができる（例えば、特許文献１参照）。
【０００３】
このように、既設の和風便器を利用して洋風便器を設置した改修便器構造において、排水接続管は、その下流側を和風便器の排水口に接続させるとともに上流側を洋風便器の排水口に接続させ、洋風便器の排水口と和風便器の排水口とを互いに接続させる。具体的には、排水接続管は、例えば特許文献１に開示されているように、上側を洋風便器の排水口に接続させる上流側縦管部と、下側を和風便器の排水口に接続させる下流側縦管部と、これらの縦管部同士をつなぐ横管部とを有し、全体としてクランク状をなすように屈曲した形状を有する。
【０００４】
このような排水接続管において、その横管部の長さの調整により、既設の和風便器に対する新設の洋風便器との設置位置について、改修現場の状況に対応した施工が行われる。例えば、和風便器の排水口と洋風便器の排水口との水平方向の距離が比較的短い場合は、その距離に合わせて横管部が切断された排水接続管が用いられる。
【先行技術文献】
【特許文献】
【０００５】
【特許文献１】特開２００３−００３５５３号公報
【発明の概要】
【発明が解決しようとする課題】
【０００６】
上述したような改修便器構造においては、排水接続管の形状に起因して次のような問題がある。排水接続管は、その横管部を和風便器内に位置させるように設けられる。このため、排水接続管の上流側縦管部について、上側を洋風便器の排水口に接続させる関係から、十分な長さを確保することが困難となる。上流側縦管部の長さが短いことにより、洋風便器のボウル部に臨むように溜められた封水が引き込まれるという現象が生じ得る。
【０００７】
具体的には、洋風便器において洗浄水による便器の洗浄が行われた際、排水接続管の上流側縦管部と横管部との角部分において、便器からの排水（洗浄水）が滞留し、流路の一部が排水によって満たされる満水化が生じる。満水化が生じると、排水の流れの作用によって負圧が生じ、サイフォン現象によって洋風便器の封水が引き込まれてしまう。
【０００８】
このように洋風便器の封水が引き込まれることで、封水の水面（溜水面）が低下し、封水が断絶される封水切れという現象が生じる可能性がある。こうした封水切れを防止するためには、洋風便器の洗浄に用いる洗浄水の水量を増やす必要がある。しかしながら、洗浄水の水量を増やすことは、節水の観点から好ましくない。
【０００９】
本発明は、上記のような問題点に鑑みてなされたものであり、既設の和風便器を利用して洋風便器を設置した改修便器構造における洋風便器からの排水流路において、排水の満水化を抑制することができ、洋風便器の封水切れを抑制することができる排水接続管を提供することを目的とする。
【課題を解決するための手段】
【００１０】
本発明に係る排水接続管は、既設の和風便器を利用して設置された洋風便器の排水口を、和風便器の排水口に接続させる排水接続管であって、上側を前記洋風便器の排水口に接続させる上流側縦管部と、前記上流側縦管部の下流側に設けられ、前記上流側縦管部とともに直角状の屈曲部をなす横管部と、を備え、前記屈曲部の屈曲外側には、前記屈曲部の流路を狭めるように突出し、前記横管部側を向く段差面を有する段部が設けられているものである。
【００１１】
このような構成の排水接続管によれば、既設の和風便器を利用して洋風便器を設置した改修便器構造における洋風便器からの排水流路において、排水の満水化を抑制することができ、洋風便器の封水切れを抑制することができる。
【００１２】
本発明に係る排水接続管の他の態様は、前記排水接続管において、前記段差面は、前記横管部の管軸方向に対して垂直状の面であるものである。
【００１３】
このような構成の排水接続管によれば、段差面について、屈曲部において排水が滞留する原因となる水の流れに対する障壁としての作用を向上させることができ、満水化を効果的に抑制することができる。
【００１４】
本発明に係る排水接続管の他の態様は、前記排水接続管において、前記段部における前記段差面よりも上側には、前記上流側縦管部から前記横管部への水の流れに沿うように湾曲または傾斜したガイド面が形成されているものである。
【００１５】
このような構成の排水接続管によれば、段部によって屈曲部における水の滞留を抑制することができつつ、屈曲部における水の流れをスムーズにすることができる。
【００１６】
本発明に係る排水接続管の他の態様は、前記排水接続管において、前記段部は、前記横管部の管軸方向について、前記上流側縦管部の中心軸の位置よりも、前記上流側縦管部からの前記横管部の延設方向側と反対側に設けられているものである。
【００１７】
このような構成の排水接続管によれば、横管部の延設方向について屈曲部の流路面積を確保することができるので、段差面によって屈曲部における水の滞留を抑制しつつ、上流側縦管部から横管部に至る水の流れをスムーズにすることができる。
【００１８】
本発明に係る排水接続管の他の態様は、前記排水接続管において、前記段部は、前記段差面を、前記上流側縦管部の管軸方向について、前記横管部の中心軸の位置よりも下側に位置させるように設けられているものである。
【００１９】
このような構成の排水接続管によれば、上下方向について屈曲部の流路面積を確保することができるので、段差面によって屈曲部における水の滞留を抑制しつつ、上流側縦管部から横管部に至る水の流れをスムーズにすることができる。
【発明の効果】
【００２０】
本発明によれば、既設の和風便器を利用して洋風便器を設置した改修便器構造における洋風便器からの排水流路において、排水の満水化を抑制することができ、洋風便器の封水切れを抑制することができる。
【図面の簡単な説明】
【００２１】
【図１】本発明の一実施形態に係る改修便器構造の構成を示す側面断面図である。
【図２】本発明の一実施形態に係る便器の改修方法についての説明図である。
【図３】本発明の一実施形態に係る排水接続管の側面図である。
【図４】本発明の一実施形態に係る排水接続管の側面断面図（縦断面図）である。
【図５】本発明の一実施形態に係る改修便器構造における満水化についての説明図である。
【図６】本発明の一実施形態に係る改修便器構造の変形例の構成を示す側面断面図である。
【図７】本発明の一実施形態に係る排水接続管の上流側の屈曲部分を示す平面図である。
【図８】図８におけるＡ−Ａ断面図である。
【図９】本発明の一実施形態に係る排水接続管の上流側の屈曲部分を示す縦断面斜視図である。
【図１０】図８におけるＢ−Ｂ断面図である。
【図１１】図８におけるＣ−Ｃ断面図である。
【図１２】本発明の一実施形態に係る排水接続管の作用についての説明図である。
【図１３】本発明の一実施形態に係る排水接続管の変形例を示す図である。
【発明を実施するための形態】
【００２２】
本発明は、既設の和風便器を利用して洋風便器を設置した改修便器構造において洋風便器の排水口を和風便器の排水口に接続させる排水接続管に関するものであり、上側を洋風便器の排水口に接続させる上流側縦管部と、上流側縦管部の下端から横方向に延伸した横管部とにより形成された角部分の形状等について工夫を施したしたものである。これにより、本発明は、洋風便器の洗浄の際、洋風便器からの排水によって排水接続管の流路内で部分的に生じる満水化を抑制することで、洋風便器における封水切れを抑制し、結果として節水を図ろうとするものである。以下、本発明の実施の形態について図面を参照して説明する。
【００２３】
本実施形態に係る改修便器構造１について、図１を用いて説明する。図１に示すように、改修便器構造１は、既設の和風便器を利用して洋風便器２を設置した便器構造である。すなわち、改修便器構造１は、元々床に和風便器が設置されていた場所に、既設の和風便器の大部分を利用して、洋風便器２を新設したものである。
【００２４】
改修便器構造１は、既設の和風便器に所定の加工を施した加工後和風便器３と、加工後和風便器３の上側において所定の設置面４上に設置された洋風便器２と、加工後和風便器３と洋風便器２との間の排水流路を構成する排水接続管５とを備える。また、改修便器構造１は、加工後和風便器３内に充填された充填材６を備える。
【００２５】
加工後和風便器３は、洋風便器２を設置するに際し、洋風便器２の設置面４に対応するため、既設の和風便器に対し、上側が設置面４に沿って水平状となるような加工等を施したものであり、既設の和風便器の一部（残存部分）である。具体的には、加工後和風便器３は、図１において二点鎖線で示すように、既設の和風便器の床面上の突出部分７がカットされたものである。この突出部分７は、主に、和風便器において前部に湾曲面状に立ち上がった前立て部と、和風便器のボウル部３ａの上側の周囲に形成されたリム部である。
【００２６】
加工後和風便器３は、その下部に、排水口３０を有する。排水口３０は、加工後和風便器３の後部に設けられており、下方に向けて筒状に突出した部分であって下方に向けて開口している。排水口３０は、既設の和風便器の排水口であり、和風便器のボウル部３ａの底面部３ｂの下側において前側から後側への折返しのトラップ流路の下流側に形成されている。排水口３０には、加工後和風便器３の下側に配された排水管９が連通接続されている。図１に示す例では、排水管９は、その上端部に排水口３０の下端部を挿嵌させた状態で、排水口３０に連通接続されている。
【００２７】
洋風便器２は、便器本体１０と、便器本体１０内に設けられた便器内排水管１１とを有する。便器本体１０は、図示せぬ給水装置から供給される洗浄水を受けるボウル部１２と、ボウル部１２の上縁部に形成されたリム部１３と、給水装置から供給された洗浄水をボウル部１２へと導く導水路１４とを有する。ボウル部１２の上端部の内壁面には、導水路１４から供給される洗浄水を吐出する吐水口１５が開口している。吐水口１５から吐水された洗浄水は、ボウル部１２の壁面に沿って旋回しながら流下してボウル部１２を洗浄する。
【００２８】
ボウル部１２の下側には、溜水部１６が形成されており、溜水部１６から、排水トラップ管路１７および排水口部１８により、便器本体１０の排水流路が構成されている。排水トラップ管路１７は、溜水部１６の下側から後側にかけて、下側に凸の湾曲状のトラップ流路を形成した部分であり、上流側を溜水部１６に連通させるとともに、下流側を排水口部１８に連通させている。排水口部１８は、下方に向けて筒状に突出した部分であり、便器本体１０の排水口を下方に向けて開口させている。排水口部１８は、便器本体１０の後部において、上下方向の中間部の高さ位置で開口している。
【００２９】
便器内排水管１１は、その上流側をなす縦方向管部１１ａと、縦方向管部１１ａの下部から洋風便器２の前方（図１における左方）に向けて水平状に延伸した横方向管部１１ｂとを有し、これらの管部によって側面視で略「Ｌ」字状に構成されている。便器内排水管１１は、便器本体１０の下部において下側を開放させるように形成された空間内に設けられている。
【００３０】
縦方向管部１１ａは、上下方向に沿う略鉛直状の管部であり、その上端部に排水口部１８の下部を挿嵌させた状態で、排水口部１８に連通接続されている。横方向管部１１ｂは、便器本体１０の接地面１０ａに沿って水平状に配された水平状の管部であり、先端部に、下方に向けて開口した排水口１１ｃを有する。排水口１１ｃは、その開口端面を、設置面４に対する便器本体１０の接地面１０ａと略同一平面状に位置させている。排水口１１ｃの周囲には、フランジ部１１ｄが形成されている。
【００３１】
本実施形態では、便器内排水管１１の排水口１１ｃが、洋風便器２の排水口２０となる。なお、洋風便器２としては、便器内排水管１１を介することなく、便器本体１０の一部として排水口２０を形成した構成のものであってもよい。
【００３２】
排水接続管５は、既設の和風便器を利用して設置された洋風便器２の排水口２０を、和風便器の排水口である加工後和風便器３の排水口３０に接続させる。すなわち、排水接続管５は、その下流側を加工後和風便器３の排水口３０に接続させるとともに上流側を洋風便器２の排水口２０に接続させ、洋風便器２の排水口２０と和風便器の排水口３０とを互いに接続させる。
【００３３】
排水接続管５は、上側を洋風便器２の排水口２０に接続させる上流側縦管部３１と、下側を加工後和風便器３の排水口３０に接続させる下流側縦管部３３と、これらの縦管部同士をつなぐ横管部３２とを有する。排水接続管５は、これらの管部によって全体としてクランク状をなすように屈曲した形状を有し、その外形に沿ったクランク状の流路を形成している。
【００３４】
したがって、排水接続管５において、横管部３２は、上流側縦管部３１の下流側に設けられ、上流側縦管部３１とともに直角状の屈曲部（以下「上流側屈曲部」という。）３８をなす。上流側屈曲部３８において、上流側縦管部３１における鉛直下方への排水の流れの方向が、横管部３２における水平方向に変換される。また、横管部３２は、下流側縦管部３３の上流側に設けられ、下流側縦管部３３とともに直角状の下流側屈曲部３９をなす。下流側屈曲部３９において、横管部３２における水平方向の排水の流れの方向が、下流側縦管部３３における鉛直下方に変換される。なお、排水接続管５は、全体として、平面視で横管部３２の中心軸方向に直交する方向について対称の形状を有する。
【００３５】
排水接続管５は、下流側縦管部３３の下部を、加工後和風便器３の内部側から排水口３０に差し込んだ状態で、排水口３０に接続されている。排水接続管５の下流側の開口部、つまり下流側縦管部３３の下側の開口部は、排水口３０に接続された排水管９内に臨んで下方に向けて開口している。
【００３６】
また、改修便器構造１において、排水接続管５の上流側の開口端部、つまり上流側縦管部３１の上側の開口端部には、鍔部３４が形成されている。鍔部３４は、上流側縦管部３１の外周面に沿う環状の突起部分であり、上流側縦管部３１の管軸方向に対して垂直な面に沿うように形成されており、互いに平行な上面３４ａおよび下面３４ｂを有する（図３参照）。なお、加工前の状態の排水接続管５においては、鍔部３４の上側に延設管部３５が存在している。
【００３７】
充填材６は、加工後和風便器３内に、モルタルまたはコンクリートを充填して打設することで形成されたものである。充填材６は、その上面６ａを水平状の設置面４に沿わせるように形成されている。充填材６は、設置面４と略面一状の面を形成し、設置面４を補強する補強材として機能する。なお、設置面４の表面には、充填材６の形成部位を含め、床面シートやタイル等が適宜敷設される。
【００３８】
本実施形態に係る改修便器構造１の製造方法、つまり既設の和風便器を利用して洋風便器２を設置する便器の改修方法の概要について、排水接続管５の構成の説明も含めて、図１から図４を用いて説明する。
【００３９】
まず、図２Ａに示すように、既設の和風便器３Ｘに対し、和風便器３Ｘにおいて前部に湾曲面状に立ち上がった前立て部２１、およびボウル部３ａの上側の周囲に形成されたリム部をカットする加工が施される。また、ボウル部３ａの底面部３ｂ等をカットすることで、排水口３０に接続されている既存の排水管９の接続部を露出させるとともに排水接続管５の配設空間を確保するための開口部３ｃ（図１参照）が形成される。
【００４０】
このような和風便器３Ｘの加工には、例えば円盤状の切断砥石を有する汎用のディスクグラインダ２２が用いられる。ただし、和風便器３Ｘの加工専用の装置が用いられてもよい。以上のような和風便器３Ｘに対する加工により、改修便器構造１を構成する加工後和風便器３が得られる。
【００４１】
次に、図２Ｂに示すように、排水接続管５の取付けが行われる。ここで、排水接続管５としては、図３に示すような加工前の状態の構成のものが用いられる。図３に示すように、加工前の状態の排水接続管５（５Ａ）は、鍔部３４の上側に延設された延設管部３５を有する。延設管部３５は、便器の改修の過程で用いられる部分であり、洋風便器２の設置に際しては除去される部分となる。
【００４２】
排水接続管５は、加工後和風便器３に形成された開口部３ｃを介して、下流側縦管部３３を加工後和風便器３の排水口３０に上側から差し込んだ状態で取り付けられる。下流側縦管部３３の外周面と排水口３０の内周面との間は、シール材や接着剤等が適宜用いられて密閉される。
【００４３】
また、排水接続管５は、加工後和風便器３の排水口３０の位置との関係で、新設する洋風便器２の排水口２０の位置に合わせて取り付けられる。具体的には、図１に示すように、加工後和風便器３の排水口３０の軸心線Ｃ１と、洋風便器２の排水口２０の軸心線Ｃ２との距離である心間距離Ｄ１に合わせて、横管部３２がカットされ、横管部３２の長さが調整される。加工後和風便器３の排水口３０の軸心線Ｃ１が下流側縦管部３３の軸心線Ｃｘ１に一致し、洋風便器２の排水口２０の軸心線Ｃ２が上流側縦管部３１の軸心線Ｃｘ２に一致する。
【００４４】
図３および図４に示すように、排水接続管５は、横管部３２をカットすることによる長さ調整を行うための構成として、上流側縦管部３１および横管部３２の大部分をなす上流側配管部材４１と、横管部３２と下流側縦管部３３の角部分をなすコーナー部材４２と、下流側縦管部３３の大部分をなす下流側配管部材４３とによる分割構造を有する。
【００４５】
コーナー部材４２は、開口中心線を互いに直交させた上流側開口４２ａおよび下流側開口４２ｂを有する屈曲管状の部材である。上流側開口４２ａに、上流側配管部材４１の下流側の端部が挿嵌されており、上流側配管部材４１の水平に沿う直線状の管部分と、コーナー部材４２とにより、排水接続管５における横管部３２が形成されている。また、コーナー部材４２の下流側開口４２ｂを形成する下流側の筒状部分は、下流側配管部材４３の上側の開口部４３ａに挿嵌されており、コーナー部材４２と下流側配管部材４３とにより、排水接続管５における下流側縦管部３３が形成されている。以上のような構成により、心間距離Ｄ１が、例えば１５０〜５００ｍｍの範囲で調整可能となっている。
【００４６】
本実施形態に係る排水接続管５において、上流側縦管部３１の中心軸方向（管軸方向）および下流側縦管部３３の中心軸方向は、互いに平行であり、これらの管部の軸心線（Ｃｘ２、Ｃｘ１）に対して、横管部３２の軸心線Ｃｘ３は直交している。すなわち、排水接続管５において、上流側縦管部３１および下流側縦管部３３の中心軸方向（図３における上下方向）を第１の方向とすると、図３に示す排水接続管５の側面視において、横管部３２の中心軸方向（図３における左右方向）は、第１の方向に直交する第２の方向となる。排水接続管５は、改修便器構造１において、上流側縦管部３１の中心軸方向を上下方向（鉛直方向）とするように設けられている。
【００４７】
図１に示すように、本実施形態では、洋風便器２は、既設の和風便器に対して、前後の向きを反対にするとともに、便器の前部を和風便器の前部の上側に重ねた位置に配置され、排水口２０を加工後和風便器３の前部に位置させている。この加工後和風便器３の前部に位置する排水口２０と、加工後和風便器３の後部に位置する排水口３０とが、排水接続管５により接続される。
【００４８】
そして、側面視で略「Ｌ」字状の便器内排水管１１と、側面視でクランク状の排水接続管５とにより、便器本体１０の排水口部１８から加工後和風便器３の排水口３０にかけて階段状の排水流路が構成されている。このような流路構成においては、排水接続管５に対して、横管部３２の延伸方向（中心軸方向、図１における左右方向）について、便器内排水管１１の横方向管部１１ｂ内を、上流側縦管部３１からの横管部３２の延設方向側と反対側から同延設方向側に向かって（図１において右から左に向かって）流れた水が、排水口２０から上流側縦管部３１に流入する（図１、矢印Ａ１参照）。
【００４９】
なお、加工後和風便器３に対する洋風便器２の配置の向きや位置等により、排水接続管５に流入する水の流れの方向については種々の態様がある。例えば、図６に示すように、洋風便器２が、既設の和風便器に対して前後の向きを同じとして、これらの便器の大部分同士が上下に重なる位置に配置された構成において、便器内排水管１１の横方向管部１１ｂと、排水接続管５の上流側縦管部３１および横管部３２とによって略「Ｕ」字状の折返し流路が構成される場合がある。このような流路構成においては、排水接続管５に対して、横管部３２の延伸方向について、上流側縦管部３１からの横管部３２の延設方向側から同延設方向側と反対側に向かって（図６において左から右に向かって）流れた水が、上流側縦管部３１に流入する（図６、矢印Ｂ１参照）。なお、図６は、本実施形態に係る改修便器構造１の変形例である改修便器構造１Ａを示している。
【００５０】
加工後和風便器３に対して排水接続管５が取り付けられた後、図２Ｃに示すように、モルタルやコンクリート等の充填材料４６が、排水接続管５が配置された加工後和風便器３内に打設される。充填材料４６を養生して硬化させることで、排水接続管５の位置が固定されるとともに、床の強度を上げるための補強材としての充填材６が形成される。
【００５１】
充填材６は、その上面６ａが水平面に沿うように形成される。ここで、充填材６は、その上面６ａを、排水接続管５の鍔部３４の上面３４ａと略面一とするように形成される。したがって、充填材料４６の養生の過程においては、充填材６の上面６ａとなる充填材料４６の上面から、延設管部３５が上方に向けて突出している（図２Ｃ参照）。
【００５２】
延設管部３５は、充填材料４６の養生の過程において、充填材料４６内で排水接続管５が傾くこと等を防止して排水接続管５の姿勢を保持するため、つまり排水接続管５の位置ずれを防止するため、所定の支持部材を作用させる部分となる。延設管部３５は、充填材料４６の養生後にカットされる。これにより、鍔部３４の上面３４ａが、上流側縦管部３１の上側の開口端面となり、充填材６の上面６ａと略面一となる。なお、充填材６の代わりにあるいは充填材６に加えて、例えばセラミック板や鋼板といった補強板等の補強部材を設けてもよい。
【００５３】
その後、図２Ｄに示すように、洋風便器２が、その排水口２０に排水接続管５の上流側縦管部３１の上端側、つまり鍔部３４側を接続させるように、加工後和風便器３の上側に設置される（矢印Ｂ１参照）。なお、洋風便器２の設置に際しては、設置面４の表面に、充填材６の形成部位を含め、床面シートやタイル等が適宜敷設される。
【００５４】
以上のような便器の改修方法によれば、例えば既設の和風便器３Ｘを全て除去する方法と比べて、短い工期で、しかも、複数階の建物の場合において設置階からの作業のみにより階下に影響を与えることなく改修を行うことができる。
【００５５】
以上のような便器の改修によって得られる改修便器構造１においては、排水接続管５は、その横管部３２を加工後和風便器３内に位置させるように設けられるため、上流側縦管部３１について、上側を洋風便器２の排水口２０に接続させる関係から、十分な長さを確保することが困難となる。上流側縦管部３１の長さが短いことにより、洋風便器２のボウル部１２に臨むように溜水部１６に溜められた封水が引き込まれるという現象が生じ得る。
【００５６】
具体的には、洋風便器２において洗浄水による便器の洗浄が行われた際、排水接続管５の上流側縦管部３１と横管部３２との角部分、つまり上流側屈曲部３８において、便器からの排水（洗浄水）が滞留し、流路の一部が排水によって満たされる満水化が生じる。満水化が生じると、排水の流れの作用によって負圧が生じ、サイフォン現象によって洋風便器の封水が引き込まれてしまう。
【００５７】
図５において、改修便器構造１の排水経路で満水化が生じている部位を破線楕円Ｅ１で示している。図５に示すように、改修便器構造１の排水経路において、上流側縦管部３１の流路部分が排水で満たされた状態となっており、満水化が生じている。なお、図５は、洋風便器２の便器洗浄時における所定のタイミングでの改修便器構造１の排水経路における排水の状態を示している。図５に示す水の状態は、改修便器構造１の排水経路における排水の挙動についてのシミュレーションに基づくものであり、図５において着色部分（薄墨部分）が水を示している。
【００５８】
このように洋風便器２の封水が引き込まれることで、封水の水面（溜水面）が低下し、封水が断絶される封水切れという現象が生じる可能性がある。図５おいて、封水切れが生じている部位を破線楕円Ｅ２で示している。図５に示す例では、便器洗浄時において、溜水面が、便器洗浄の開始前の位置Ｐ０から、排水トラップ管路１７内の高さ位置である位置Ｐ１に低下し、封水切れが生じている。
【００５９】
こうした封水切れを防止するためには、洋風便器２の洗浄に用いる洗浄水の水量を増やす必要がある。しかしながら、洗浄水の水量を増やすことは、節水の観点から好ましくない。
【００６０】
上述したような満水化の発生は、上流側屈曲部３８に対し、横管部３２の延設方向と同じ方向（図５において左方向）に横方向管部１１ｂ内を流れてきた水が上流側縦管部３１の上側から下側に向けて急激に流れ込むことで、横管部３２の上流側の開口部（破線楕円Ｅ３で示す部位参照）において流路が水によって瞬間的に塞がれることに起因する。詳細には、次のとおりである。
【００６１】
図５に示すように、横方向管部１１ｂ内を流れてきた水は、上流側縦管部３１に達すると、上流側縦管部３１の前側の周壁に当たるとともに（矢印Ｇ１参照）、上流側縦管部３１の前側（図５において左側）の周壁に沿って下方へと流れる（矢印Ｇ２参照）。下方に流れた水は、横管部３２の上流側の開口部の閉塞作用によって横管部３２側への流入が遮られ、配管の底部分、つまり横管部３２の上流側端部の下側の内周面に当たって、後側（図５において右側）にせり上がるような流れを生じさせる（矢印Ｇ３参照）。このように後側にせり上がる流れは、上流側縦管部３１において渦流を生じさせ、上流側縦管部３１に水を滞留させる。このように上流側縦管部３１内で水が滞留することにより、上述したような満水化が生じる。
【００６２】
そこで、満水化を抑制するための方策として、排水接続管５における上流側屈曲部３８の角度を大きくすること、つまり上流側屈曲部３８を鈍角状の角部分とすることや、上流側屈曲部３８を湾曲状の角部分とすることが考えられる。しかしながら、上流側屈曲部３８の角度が鈍角になったり上流側屈曲部３８が湾曲状の角部分となったりすると、心間距離Ｄ１（図１参照）に応じた横管部３２の長さ調整の幅が小さくなってしまう。
【００６３】
また、上流側屈曲部３８の角度が鈍角の場合、水平状の横管部３２に対して上流側縦管部３１が同角度を直角から大きくする向きに傾斜した状態となる。つまり、加工後和風便器３内に配置される排水接続管５については、上流側を洋風便器２の排水口２０に接続させる関係上、上流側屈曲部３８の角度を直角から大きくすると、その分、上流側屈曲部３８が下流側（下流側縦管部３３側）に移動することになる。この点、上流側屈曲部３８が湾曲状の角部分である場合も同様である。このことから、排水接続管５の上側に形成された充填材６について、上流側屈曲部３８の上側の部位の厚さが薄くなり、その分、補強材としての充填材６による強度が低下することになる。
【００６４】
このように、排水接続管５において横管部３２の長さ調整の幅を確保する観点や、排水接続管５の上側における充填材６の強度を確保する観点からは、上流側屈曲部３８は直角状であることが好ましい。そこで、本実施形態に係る排水接続管５は、排水の満水化を抑制すべく、以下に説明するような構成を備える。
【００６５】
すなわち、図７から図１０に示すように、排水接続管５において、上流側屈曲部３８の屈曲外側には、下流側屈曲部３９の流路を狭めるように突出した段部６０が設けられている。段部６０は、横管部３２側を向く段差面６１を有する。また、段部６０は、段差面６１よりも上側に形成されたガイド面６２を有する。
【００６６】
段部６０は、上流側縦管部３１において、上下方向を中心軸方向として一定の横断面形状（円形の断面形状）をなす管状部位３１Ａに対して、管の内周側（前側）に膨出状に張り出した部分として形成されている。また、段部６０は、横管部３２において、横方向を中心軸方向として図１１に示すような一定の断面形状をなす管状部位３２Ａに対して、管の内周側（上側）に膨出状に張り出した部分として形成されている。
【００６７】
段部６０は、平面視（上面視）で横管部３２の中心軸方向に直交する方向（図７における上下方向）について対称に形成されている。なお、排水接続管５において、平面視で横管部３２の中心軸方向に直交する方向（図７における矢印Ｘ１方向）を左右方向とし、横管部３２の中心軸方向を前後方向とし、横管部３２に対して下流側縦管部３３が設けられた側（図７において左側）を前側、その反対側（図７において右側）を後側とする。
【００６８】
段部６０は、上流側縦管部３１の後側の略半円筒面状の部分である後側半部３１ｄと、横管部３２の下側の略半円筒面状の部分である下側半部３２ｄとによる角部分に形成されている。つまり、段部６０は、上流側縦管部３１の後側半部３１ｄの下端部と、横管部３２の下側半部３２ｄの後端面部とにより形成された、上流側屈曲部３８の直角状の屈曲形状における外側（下側）の部分に設けられている。
【００６９】
段部６０は、正面視（横管部３２の前側からの軸方向視）において、管状部位３２Ａに対して上側に張り出し、少なくとも段差面６１の高さ分、流路面積を狭めている（図１０参照）。また、段部６０は、上流側縦管部３１の上側からの軸方向視において、管状部位３１Ａに対して前側に張り出し、少なくともガイド面６２の前後方向の寸法分、流路面積を狭めている（図７参照）。段部６０は、上流側屈曲部３８において、管壁の厚さを略一定に保ちながら、外形上、内周側に部分的に膨出することで、上流側屈曲部３８の流路面積を狭めている。したがって、上流側縦管部３１と横管部３２とによる直角状の屈曲形状における外側、つまり段部６０の形成部位には、管内に対する段部６０の凸形状に対応した凹形状をなす凹部６５が形成されている。
【００７０】
また、段部６０は、左右方向について、上流側屈曲部３８の内部において左右方向の全体に形成されている。つまり、段部６０は、横管部３２の軸方向視において、下側半部３２ｄの内周側の左右方向の全体にわたる範囲に形成されている（図１０参照）。なお、横管部３２の左右方向の管径（内径および外径）は、円形の横断面形状を有する上流側縦管部３１の管径（内径および外径）と略同じである。
【００７１】
図８に示すように、段部６０は、段差面６１を形成する縦面部６３と、ガイド面６２を形成する傾斜状の傾斜面部６４とを有する。なお、図８は、排水接続管５の上流側屈曲部３８近傍の左右方向の中央位置における側面断面図を示している。
【００７２】
縦面部６３は、横管部３２の下側半部３２ｄの後端部から上側に屈曲状に立ち上がった面部であり、その前側の面を段差面６１としている。本実施形態では、段差面６１は、横管部３２の管軸方向（軸心線Ｃｘ３の方向）に対して垂直状の面（略垂直の面）である。したがって、縦面部６３は、水平方向に沿う横管部３２の管軸方向に対する鉛直状の面部であり、その前面を鉛直状の面である段差面６１としている。また、縦面部６３は、段差面６１の裏面として、鉛直状の後面６３ａを有する。
【００７３】
縦面部６３は、正面視において、横管部３２の下側半部３２ｄの内周の半円形状に沿った半月状の形状を有する（図１０参照）。すなわち、縦面部６３の正面視形状は、横管部３２の下側半部３２ｄの内周面に沿った下側の半円弧状の線と、この半円弧状の線に対する弦となる左右方向に沿う上側の直線とによって半月状の形状となっている。したがって、縦面部６３は、その上縁部の高さ位置を左右方向の略全体について共通としている。
【００７４】
また、縦面部６３は、横管部３２の下側半部３２ｄに対して垂直状に形成されている。したがって、例えば図８に示す左右方向の中心位置における縦断面視において、水平状の下側半部３２ｄと、上下方向に沿う縦面部６３とにより、直角状の角部分が形成されている。ただし、下側半部３２ｄと縦面部６３の角部分は、縦断面視でＲ形状部をなすような湾曲面状の部分であってもよい。
【００７５】
傾斜面部６４は、上流側縦管部３１の後側半部３１ｄと、縦面部６３とをつなぐ面部である。傾斜面部６４と縦面部６３との境界部は、上述のとおり縦面部６３の正面視形状である半月状の上側の左右方向に沿う稜線を形成している。つまり、傾斜面部６４は、その下縁部（前縁部）において、縦面部６３の上縁部とともに左右方向に沿う直線状の稜線部６６を形成している（図１０参照）。傾斜面部６４と縦面部６３とは、縦断面視で鈍角状の角部を形成している。傾斜面部６４と縦面部６３がなす角度は、特に限定されるものではないが、例えば１３０〜１５０°程度である。
【００７６】
傾斜面部６４は、その内側の面をガイド面６２としている。このように段部６０における段差面６１よりも上側には、ガイド面６２が形成されている。ガイド面６２は、上流側縦管部３１から横管部３２への水の流れに沿うように湾曲または傾斜した面である。本実施形態では、ガイド面６２は、図８に示すような縦断面視において、上流側屈曲部３８の屈曲外側（図８において右下側）を凸側とした湾曲線をなす湾曲面となっている。
【００７７】
ガイド面６２は、上流側縦管部３１の後側半部３１ｄの内周の湾曲形状に沿って形成されており、正面視において、頂角部をＲ形状とした略二等辺三角形ないし略半楕円形状を有する（図１０参照）。すなわち、ガイド面６２の正面視形状は、上流側縦管部３１の後側半部３１ｄの内周面に沿った山なりの曲線と、この曲線の下端部間の左右方向に沿う直線とによって略二等辺三角形ないし略半楕円形状となっている。
【００７８】
また、ガイド面６２は、平面視において、上流側縦管部３１の後側半部３１ｄの内周の半円形状に沿った半月状の形状を有する（図７参照）。すなわち、ガイド面６２の平面視形状は、上流側縦管部３１の後側半部３１ｄの内周面に沿った後側の半円弧状の線と、この半円弧状の線に対する弦となる左右方向に沿う前側の直線とによって半月状の形状となっている。
【００７９】
また、ガイド面６２は、最も高い位置となる左右方向の中央部の高さ位置を、横管部３２の管状部位３２Ａの上端と略同じ高さに位置させている（図８参照）。つまり、正面視において、ガイド面６２の頂部と、横管部３２の上側の端部とは、互いに略同じ位置に位置している。
【００８０】
段部６０は、流路内に対する膨出形状により、上流側屈曲部３８において狭窄状に流路を部分的に狭めている。段部６０の形成部位における流路面積についての指標として、段部６０による狭窄部分の内径の寸法である距離Ｌが用いられる（図８参照）。図８に示すように、距離Ｌは、側面断面視において、上流側縦管部３１と横管部３２による屈曲形状の内側の角部分の稜線に対応する位置Ｏ１と、段部６０において段差面６１とガイド面６２とがなす稜線に対応する位置Ｏ２との間の距離である。段部６０は、距離Ｌの大きさを指標として、上流側屈曲部３８において、汚物等を含む排水の流れが妨げられないように形成される。
【００８１】
段部６０は、横管部３２の管軸方向（前後方向）について、上流側縦管部３１の中心軸の位置よりも、上流側縦管部３１からの横管部３２の延設方向側と反対側（後側）に設けられている。つまり、段部６０は、前後方向について、上流側縦管部３１の後側半分の範囲内に設けられている。
【００８２】
本実施形態では、段部６０において、段差面６１が前端面となる。したがって、図７に示すように、段部６０は、前後方向について、段差面６１の位置Ｖ１が、上流側縦管部３１の軸心線Ｃｘ２に対応する位置Ｖ０よりも後側に位置するように形成されている。言い換えると、左右方向の中心位置において、上流側縦管部３１の内周面の位置を基準とした段部６０の前後方向の寸法（ガイド面６２の前後方向の寸法）Ｗ１は、上流側縦管部３１の内周半径Ｗ０よりも小さくなっている。本実施形態では、段部６０の前後方向の寸法Ｗ１は、上流側縦管部３１の内周半径Ｗ０の約３／４程度の大きさとなっている。
【００８３】
また、段部６０は、段差面６１を、上流側縦管部３１の管軸方向（上下方向）について、横管部３２の中心軸の位置よりも下側に位置させるように設けられている。つまり、段部６０は、上下方向について、鉛直面状の段差面６１を、横管部３２の下側半分の範囲内に形成している。
【００８４】
本実施形態では、図８に示すように、段部６０は、上下方向について、段差面６１の上端の高さ位置Ｊ１が、横管部３２の軸心線Ｃｘ３に対応する高さ位置Ｊ０よりも下側に位置するように形成されている。したがって、左右方向の中心位置において、横管部３２の内周面の位置を基準とした段差面６１の高さ（上下方向の寸法）Ｋ１は、横管部３２の内周半径Ｋ０よりも小さくなっている。本実施形態では、段部６０の高さＫ１は、横管部３２の内周半径Ｋ０の約２／３程度の大きさとなっている。
【００８５】
次に、横管部３２における管状部位３２Ａの横断面形状について、図１１を用いて説明する。なお、図１１は、図７におけるＣ−Ｃ断面図であり、管状部位３２Ａの横断面形状を示している。
【００８６】
図１１に示すように、横管部３２における管状部位３２Ａの横断面形状は、円形状に沿う横断面形状が上側の部分についてひしゃげた態様の形状となっている。詳細には、管状部位３２Ａの横断面形状において、下側の大部分は、略円弧形状に沿う下側に凸の略半円形状の円弧形状部３２ｆとなっており、上側の部分は、略楕円形状に沿う上側に凸の略半楕円形状の楕円形状部３２ｇとなっている。
【００８７】
すなわち、管状部位３２Ａの横断面形状は、下側に凸の円弧形状部３２ｆが沿う円形状の直径に対して、上側に凸の楕円形状部３２ｇが沿う楕円形状の長軸が対応し、半楕円形状と半円弧形状とが上下に合わさった形状を有する。このように、横管部３２の管状部位３２Ａの横断面形状は、上側の部分について円形状に対して扁平な形状であり、円形状に対する異形形状（変形円形状）となっている。
【００８８】
本実施形態では、横管部３２の管状部位３２Ａにおいて、上下方向について、下側の略２／３が円弧形状部３２ｆとなっており、上側の略１／３が楕円形状部３２ｇとなっている。このような横断面形状を有する横管部３２の管状部位３２Ａは、横断面形状において円弧形状部３２ｆをなす下側の部分は、下側に凸の半円筒状の形状を有し、横断面形状において楕円形状部３２ｇをなす上側の部分は、上側に凸の半楕円筒状の形状を有する。なお、図１１においては、円弧形状部３２ｆと楕円形状部３２ｇの境界線を二点鎖線Ｌ１で示している。
【００８９】
以上説明した本実施形態に係る排水接続管５によれば、既設の和風便器を利用して洋風便器２を設置した改修便器構造１における洋風便器２からの排水流路において、排水の満水化を抑制することができ、洋風便器２の封水切れを抑制することができる。
【００９０】
すなわち、洋風便器２において洗浄水による便器の洗浄が行われた際、洋風便器２からの排水が上流側屈曲部３８に流れ込んだときに、後側にせり上がろうとする水が、段部６０の段差面６１に当たり、前側に戻される。詳細には、図１２に示すように、横方向管部１１ｂ内を流れて上流側縦管部３１に流入した水は、上流側縦管部３１の前側の周壁に当たるとともに（矢印Ｍ１参照）、上流側縦管部３１の前側（図１２において左側）の周壁に沿って下方へと流れる（矢印Ｍ２参照）。下方に流れた水は、横管部３２の上流側の開口部の閉塞作用によって横管部３２側への流入が遮られ、配管の底部分、つまり横管部３２の上流側端部の下側の内周面に当たって後側（図１２において右側）にせり上がろうとする。この後側にせり上がろうとする水の流れが、段部６０の段差面６１によって遮られることになる。つまり、上流側屈曲部３８の底部に当たって後側にせり上がろうとする水の流れが、段差面６１に衝突してＵターン状に前側に戻される（矢印Ｍ３参照）。
【００９１】
このように、本実施形態の排水接続管５は、上流側屈曲部３８の流路内において屈曲形状の外周側に段差をつけることで、横管部３２内に流入せずに後側に戻ろうとする流れを前側に方向転換させ（Ｕターンさせ）、後側への水の広がりを制限している。
【００９２】
このように上流側屈曲部３８における後側へのせり上がりの流れが抑制されることにより、上流側屈曲部３８において、便器からの排水が滞留することが抑制され、流路の一部が排水によって満たされる満水化を抑制することができる。このため、満水化に起因した負圧の作用により洋風便器２の封水が下流側に引き込まれることを抑制することができる。
【００９３】
結果として、洋風便器２の封水が引き込まれることで生じる封水切れを抑制することができるので、封水切れを防止するために洋風便器２の洗浄水の水量を増やす必要がなくなり、節水を図ることができる。具体的には、排水接続管５において段部６０を設けることにより、段部６０がない場合との比較において、洋風便器２の洗浄水の量を、例えば６．０リットルから４．８リットルに減らすことが可能になることが実験等によりわかっている。
【００９４】
また、本実施形態に係る排水接続管５において、段差面６１は、横管部３２の管軸方向に対して垂直状の面となっている。
【００９５】
このような構成によれば、段差面６１について、後側へ向かう水の流れに対する障壁としての作用を向上させることができ、上述したような上流側屈曲部３８における後側へのせり上がりの流れを効果的に抑制することができる。これにより、便器からの排水が滞留することを効果的に抑制することができ、満水化を抑制することができる。このような効果を得る観点からは、段差面６１は、段部６０において横管部３２の管軸方向に対して前側を向く垂直面であることが好ましいが、横管部３２の管軸方向に対する段差面６１の角度は特に限定されるものではない。段差面６１は、前側または後側に傾斜した傾斜面であってもよい。
【００９６】
また、本実施形態に係る排水接続管５において、段部６０の上側には、上流側縦管部３１から横管部３２への水の流れに沿うようなガイド面６２が形成されている。
【００９７】
このような構成によれば、段差面６１を有する段部６０によって上流側屈曲部３８における水の滞留を抑制することができつつ、例えば段部６０の上面が水平面である場合などと比べて、上流側屈曲部３８における水の流れをスムーズにすることができる。また、ガイド面６２の湾曲形状または傾斜形状により、上流側屈曲部３８において流路面積を確保しながら排水の流れの方向に沿った滑らかな流路形状を得ることができる。上流側屈曲部３８においてスムーズな水の流れを得る観点から、ガイド面６２は、例えば図８に示すような側面断面視で円弧状をなす湾曲面として形成される。
【００９８】
さらに、段部６０がガイド面６２を有する構成によれば、例えば図６に示すように、便器内排水管１１の横方向管部１１ｂと、排水接続管５の上流側縦管部３１および横管部３２とによって略「Ｕ」字状の折返し流路が構成される場合において、上流側屈曲部３８における水の流れを効果的にスムーズにすることができる。すなわち、図６に示す構成においては、横方向管部１１ｂ内を流れて上流側縦管部３１に流入した水が、上流側縦管部３１の後側半部３１ｄに衝突して後側半部３１ｄに沿って下方へと流れ、ガイド面６２に沿って横管部３２側へと案内される。これにより、略「Ｕ」字状の流路形状に沿ったスムーズな流れを得ることができる。
【００９９】
また、本実施形態に係る排水接続管５において、段部６０は、前後方向について、上流側縦管部３１の中心軸の位置よりも後側、つまり上流側屈曲部３８の屈曲形状の外側に設けられている。
【０１００】
このような構成によれば、前後方向について上流側屈曲部３８の流路面積を確保することができ、段部６０によって水の流れが妨げられることがないので、段差面６１によって上流側屈曲部３８における水の滞留を抑制しつつ、上流側縦管部３１から横管部３２に至る水の流れをスムーズにすることができる。
【０１０１】
また、本実施形態に係る排水接続管５において、段部６０は、段差面６１の高さが横管部３２の中心軸の高さよりも低くなるように形成されている。
【０１０２】
このような構成によれば、上下方向について上流側屈曲部３８の流路面積を確保することができ、段部６０によって水の流れが妨げられることがないので、段差面６１によって上流側屈曲部３８における水の滞留を抑制しつつ、上流側縦管部３１から横管部３２に至る水の流れをスムーズにすることができる。
【０１０３】
また、本実施形態に係る排水接続管５において、横管部３２は、その管状部位３２Ａの横断面形状を、上側の部分について円形状に対して扁平な形状としている。
【０１０４】
このような構成によれば、設置面４との関係で高さの制約がある横管部３２において、流路面積を確保しながら、高さを抑えることができる。そして、横管部３２の高さが抑えられることから、横管部３２上の充填材６の部分について十分な厚さを得ることができ、充填材６の強度を容易に確保することができる。
【０１０５】
以上のように実施形態を用いて説明した本発明に係る排水接続管は、上述した実施形態に限定されず、本発明の趣旨に沿う範囲で、種々の態様を採用することができる。
【０１０６】
上述した実施形態では、段部６０において、ガイド面６２は傾斜状の湾曲面として形成されているが、ガイド面６２は、例えば図１３Ａに示すように、前下がりに傾斜した傾斜面６２Ａであってもよい。傾斜面６２Ａは、図１３Ａに示すような側面断面視で傾斜状の直線をなす単純な傾斜面となっている。
【０１０７】
また、上述した実施形態では、本発明に係る段部は、上流側屈曲部３８において管壁の厚さを略一定に保ちながら凹部６５をなす部分として設けられているが、このような構成に限定されるものではない。本発明に係る段部は、例えば、図１３Ｂに示すように、外形上は上流側縦管部３１および横管部３２の管形状にならった形状を有する上流側屈曲部３８Ａにおいて、内周側（流路側）に、段差面６１およびガイド面６２を形成するように膨出した段部６０Ａを有する構成であってもよい。ただし、排水接続管５を形成する材料を節約する観点からは、管壁の厚さを略一定に保つように形成された段部６０が好ましい。
【０１０８】
また、上述した実施形態では、段部６０は、一つの段差面６１を形成する一段構成のものであるが、本発明に係る段部は、例えば、図１３Ｃに示すように、複数段構成であってもよい。図１３Ｃでは、前側（下側）の段差面６１Ｘと後側（上側）の段差面６１Ｙの２つの段差面を形成する２段構成の段差部６０Ｂを示しており、この段差部６０Ｂにおいては、段差面６１Ｙの上側にガイド面６２が形成されている。
【０１０９】
また、上述した実施形態では、排水接続管５は、その構成部材として上流側縦管部３１および横管部３２の大部分をなす上流側配管部材４１を有するものであるが、このような構成に限定されるものではない。本発明に係る排水接続管は、例えば、上流側縦管部３１および横管部３２を互いに別体の部材により構成したものや、上流側縦管部３１および横管部３２の一部同士を別体の部材により構成したものや、上流側縦管部３１および横管部３２の各管部を複数の部材により構成したものあってもよい。これらの構成は、例えば、上述した実施形態における上流側配管部材４１を複数の部材からなる分割構造とすること等によって実現される。
【符号の説明】
【０１１０】
１      改修便器構造
１Ａ    改修便器構造
２      洋風便器
３      加工後和風便器
３Ｘ    和風便器
５      排水接続管
９      排水管
２０    排水口
３０    排水口
３１    上流側縦管部
３２    横管部
３２Ａ  管状部位
３３    下流側縦管部
３４    鍔部
３４ａ  上面
３８    上流側屈曲部
６０    段部
６１    段差面
６２    ガイド面
【図１】
2020148022.tif 000003
【図２】
2020148022.tif 000004
【図３】
2020148022.tif 000005
【図４】
2020148022.tif 000006
【図５】
2020148022.tif 000007
【図６】
2020148022.tif 000008
【図７】
2020148022.tif 000009
【図８】
2020148022.tif 000010
【図９】
2020148022.tif 000011
【図１０】
2020148022.tif 000012
【図１１】
2020148022.tif 000013
【図１２】
2020148022.tif 000014
【図１３】
2020148022.tif 000015